(57)【要約】【課題】バッグ本体に収容したクラブが取っ手部材の握り部を持つ手に不用意に当接することのないゴルフバッグを提供する。【解決手段】バッグ本体の側部において上下方向に延びる支持杆とこの支持杆の上端部に設けられる握り部とを備える取っ手部材が、バッグ本体の側部に設けられているゴルフバッグにおいて、取っ手部材の支持杆が、その上端側に向かうに従ってバッグ本体から離間する方向に傾斜する位置とバッグ本体の側部に沿う位置とに位置変更可能であり、取っ手部材の支持杆が、バッグ本体の側部に取り付けられた収容部材に対してスライド自由に設けられ、支持杆が収容部材に対して退入した位置及び支持杆が収容部材に対して引き出された位置で支持杆をロック可能とするロック制御機構が設けられた。【選択図】　図１
2004081561.tif 000002
【特許請求の範囲】
【請求項１】
バッグ本体の側部において上下方向に延びる支持杆とこの支持杆の上端部に設けられる握り部とを備える取っ手部材が、バッグ本体の側部に設けられているゴルフバッグにおいて、
取っ手部材の支持杆が、その上端側に向かうに従ってバッグ本体から離間する方向に傾斜していることを特徴とするゴルフバッグ。
【請求項２】
バッグ本体の側部において上下方向に延びる支持杆とこの支持杆の上端部に設けられる握り部とを備える取っ手部材が、バッグ本体の側部に設けられているゴルフバッグにおいて、
取っ手部材の支持杆が、その上端側に向かうに従ってバッグ本体から離間する方向に傾斜する位置とバッグ本体の側部に沿う位置とに位置変更可能であることを特徴とするゴルフバッグ。
【請求項３】
取っ手部材の支持杆が、バッグ本体の側部に取り付けられた収容部材に対してスライド自由に設けられ、支持杆が収容部材に対して退入した位置及び支持杆が収容部材に対して引き出された位置で支持杆をロック可能とするロック制御機構が設けられていることを特徴とする請求項１または２に記載のゴルフバッグ。
【発明の詳細な説明】
【０００１】
【産業上の利用分野】
本発明は、主としてゴルフのクラブを収容して持ち運びするためのゴルフバッグに関する。
【０００２】
【従来の技術】
一般にゴルフバッグは、ウッドやアイアンあるいはパターなどの複数本のクラブを収容すると、その重量がかなり重くなり、そのため、クラブを収容したバッグを担いで持ち運ぶことは非常に重労働となり、特に年配のゴルファにとってはかなりの体力を消耗するものである。
【０００３】
そこで従来では、例えば特開平７−３２８１５２号公報にも示されているように、バッグ本体の底部の一端側に左右一対の車輪を回転自由に設けると共に、バッグの側部にキャリー用の取っ手部材を設けて、この取っ手部材の握り部を手で握ってバッグ本体を車輪を介して走行移動させるようにしている。
【０００４】
【発明が解決しようとする課題】
しかしながら以上のゴルフバッグにあっては、取っ手部材を構成する支持杆が、バッグ本体の側部に沿って配設されていることから、支持杆の上端部に設け握り部がバッグ本体の開口部に近接することとなり、そのため、バッグを傾けて走行移動させる際に、バッグ本体に収容したクラブのヘッドが握り部を握っている手に当たって、バッグの走行移動が行い難くなったり、あるいはヘッドが取っ手部材に当接して、ヘッドが傷ついたりする不具合がある。
【０００５】
本発明は以上の実情に鑑みて開発されたものであって、その目的とするところは、バッグ本体に収容したクラブが取っ手部材や取っ手部材の握り部を持つ手に不用意に当接することのないゴルフバッグを提供することにある。
【０００６】
【課題を解決するための手段】
前記した目的を達成するために、請求項１の発明は、バッグ本体の側部において上下方向に延びる支持杆とこの支持杆の上端部に設けられる握り部とを備える取っ手部材が、バッグ本体の側部に設けられているゴルフバッグにおいて、取っ手部材の支持杆が、その上端側に向かうに従ってバッグ本体から離間する方向に傾斜していることを特徴とするものである。
【０００７】
請求項２に記載の発明は、バッグ本体の側部において上下方向に延びる支持杆とこの支持杆の上端部に設けられる握り部とを備える取っ手部材が、バッグ本体の側部に設けられているゴルフバッグにおいて、取っ手部材の支持杆が、その上端側に向かうに従ってバッグ本体から離間する方向に傾斜する位置とバッグ本体の側部に沿う位置とに位置変更可能であることを特徴とするものである。
【０００８】
また請求項３に記載の発明は、請求項１または２に記載のゴルフバッグにおいて、取っ手部材の支持杆が、バッグ本体の側部に取り付けられた収容部材に対してスライド自由に設けられ、支持杆が収容部材に対して退入した位置及び支持杆が収容部材に対して引き出された位置で支持杆をロック可能とするロック制御機構が設けられていることを特徴とするものである。
【０００９】
【発明の実施の形態】
次に本発明をゴルフバッグに適用した実施形態を説明する。
【００１０】
図において符号１で示すゴルフバッグは、主としてゴルフクラブ（図示せず）を収納するための筒状をしたバッグ本体２と、
このバッグ本体２の下端に組み付けられてバッグ１の底を画成する有底筒状の底筒３と、
この底筒３の一端側に回転自由に取り付けられた左右一対の車輪４とが備えられている。
【００１１】
バッグ本体２の前面側側部には、ハンガーグリップ２１が取り付けられ、またこのハンガーグリップ２１よりも下方には、主としてゴルフボールを収容するためのフロントポケット２２が設けられ、バッグ本体２の背面側側部には、主としてゴルフシューズを収容するためのリヤポケット２３が設けられている。
【００１２】
またバッグ本体２の背面側側部には、取っ手部材５が設けられている。
【００１３】
この取っ手部材５は、図２にも示すように、左右一対の支持杆５１ａ・５１ｂと、これら両支持杆５１ａ・５１ｂの上端を連結する握り部５２とから構成されている。
【００１４】
そして支持杆５１ａ・５１ｂは、バッグ本体２の背面側側部で且つリヤポケット２２内に組み付けた収容部材６に対して出退自由となっており、取っ手５の使用に際しては、支持杆５１を収容部材６から所定長さ引き出して用い、また取っ手５の不使用時には、支持杆５１を収容部材６内に格納するようにしている。
【００１５】
図に示す収容部材６は、金属製のパイプ材から構成された左右一対の収容筒部６１ａ・６１ｂと、これら両収容筒部６１ａ・６１ｂをバッグ本体２に組み付けるための上下のブラケット６２・６３とが備えられ、上部ブラケット６２は両収容筒部６１ａ・６１ｂの上端部間に、下部ブラケット６３は両収容筒部６１ａ・６１ｂの下端部間にそれぞれ組み付けられている。
【００１６】
底筒３は、硬質の合成樹脂材料から形成されたものであって、筒状部３１と、筒状部３１の下端開口を閉鎖する底板部３２とが備えられ、この底筒３の一端側における筒状部３１と底板部３２とのコーナー部位には、車輪４の収容室３３が設けられている。
【００１７】
そして収容室３３を画成する側壁３４間には、シャフト４１が架設されて、収容室３３に突出するシャフト４１の突出部には、車輪４が回転自由に支持されている。
【００１８】
底板部３２の下面には、底板部３２を地面Ｅに載せてバッグ１を地面Ｅ上に立設させた際に、地面Ｅに接地する３つのリブ３５と、同じく底板部３２を地面Ｅに載せてバッグ１を地面Ｅ上に立設させた際に、車輪４が地面Ｅに対して接地するのを阻止するための阻止部３６とが設けられ、地面Ｅ上に立設するバッグ１を所定角度以上傾けるに伴い、車輪４が地面Ｅに接地して底板部３２がリブ３５及び阻止部３６とともに地面Ｅから浮くように構成されている。
【００１９】
阻止部３６は、図５及び図６にも示すように、底板部３２の下面で且つ左右車輪間における車輪の回転中心よりも僅かに前側に突設されているのであって、図に示す実施形態では、底板部３２を地面Ｅに載せてバッグ１を地面Ｅ上に立設させた際に車輪４が地面Ｅから少し浮き上がるように、阻止部３６の高さが設定され、地面Ｅ上に立設するバッグ１を所定角度θ、具体的には、図５に示すように１５度以上傾斜させた段階から車輪４が地面Ｅに接地して、底板部３２がリブ３５及阻止部３６とともに地面Ｅから浮き上がるようにしている。
【００２０】
以上の構成において、図１から図１２に示す実施形態では、収容筒部６１ａ・６１ｂの下端部を下部ブラケット６３に枢支して、この収容筒部６１ａ・６１ｂをバッグ本体２に対して揺動可能とすると共に、上部ブラケット６２と収容筒部６１ａ・６１ｂとの間に位置変更切換え機構７を介装して、この位置変更切換え機構７を介して、取っ手部材５の支持杆５１ａ・５１ｂが、その上端側に向かうに伴いバッグ本体２に対してバッグ本体２から離間する方向に傾斜する位置とバッグ本体２の背面側部に沿う位置とに位置変更可能としたのである。
【００２１】
即ち、図１〜図１２に示す位置変更切換え機構７は、一対のスライド筒７１とリンク部材７２とを備え、スライド筒７１を各収容筒部６１ａ・６１ｂにスライド自由に挿通し、このスライド筒７１にリンク部材７２の長さ方向一端部を枢支すると共に、このリンク部材７２の長さ方向他端部を上部ブラケット６２に枢支して、スライド筒７１のスライドとリンク部材７２の揺動により、取っ手部材５の支持杆５１ａ・５１ｂが、その上端側に向かうに伴いバッグ本体２に対してバッグ本体２から離間する方向に傾斜する位置（図８において２点鎖線で示す位置）とバッグ本体２の背面側部に沿う位置（図８において実線で示す位置）との間で揺動するようにしている。
【００２２】
尚、収容筒部６１ａ・６１ｂの上部外周には、径方向外方に突出して、スライド筒７１の下方へのスライドを規制するための鍔状のストッパ６４が設けられ、また上部ブラケット６２には、リンク部材７２の下方への揺動を規制するストッパ６５が設けられている。
【００２３】
また取っ手部材５と収容部材６との間には、支持杆５１ａ・５１ｂが収容筒部６１ａ・６１ｂに対して退入した位置及び支持杆５１ａ・５１ｂが収容筒部６１ａ・６１ｂに対して引き出された位置で支持杆５１ａ・５１ｂを収容筒部６１ａ・６１ｂに対してそれぞれロック可能とするロック制御機構８が設けられている。
【００２４】
ロック制御機構８は、図９〜図１２にも示すように、
握り部５２内に組み込まれたスプリング８０に抗して前記ロック体８３のロック動作を解除するための操作体８１と、
支持杆５１ａ・５１ｂ内に遊挿され、上端が操作体８１に連結された連結ロッド８２と、
支持杆５１ａ・５１ｂ内の下端部に組み込んだケーシング５３に移動自由に設けられたロック体８３と、
ロック体８３をロック方向に付勢させるスプリング８４と、
連結ロッド８２の下端部に組み付けられて、ロック体８３をロック位置から非ロック位置に動作させるカム部材８５とを備えている。
【００２５】
カム部材８５は、ケーシング５３内に上下方向に移動可能に組み込まれており、カム部材８５には、ロック体８３を挿通する挿通孔８５ａが設けられている。
【００２６】
挿通孔８５ａは、上下方向に延びて、ケーシング５３に移動自由に設けられたロック体８３に対してカム部材８５が上下方向に相対移動可能となっている。
【００２７】
またカム部材８５の左右側壁には、円弧状の透孔８５ｂが形成され、この透孔８５ｂの内面をカム面８５ｃとして用いている。
【００２８】
一方、ロック体８３には、透孔８５ｂに突入して、前記カム面８５ｃを摺動する突起８３ａが突設されている。
【００２９】
そしてロック体８３の背面とケーシング５３との間に前記したスプリング８４を介装して、このスプリング８４のバネ力により、ロック体８３を収容筒部６１ａ・６１ｂに形成した嵌合孔６６・６７に嵌合する方向に付勢させるようにしている。
【００３０】
以上のロック制御機構は、図１０に示すように、常時はスプリング８０のバネ力により、カム部材８５が操作体８１及び連結ロッド８２を介してケーシング５３内の上方に移動し、これにより、ロック体８３がスプリング８４のバネ力と、突起８３ａが係合しているカム面８５ｃの案内で、収容筒部６１ａ・６１ｂに形成した嵌合孔６６・６７に対して嵌合する方向に付勢するのであって、従って、取っ手部材５を収容部材６に対して引き出して、ロック体８３を上方の嵌合孔６６に嵌合させることで、図２にも示すように、取っ手部材５を引き出した位置でロックすることが出来るし、また取っ手部材５の支持杆５１ａ・５１ｂを収容部材６に対して格納して、ロック体８３を下方の嵌合孔６７に嵌合させることで、図４に示すように、取っ手部材５の支持杆５１ａ・５１ｂを収容筒部６１ａ・６１ｂに格納した位置でロックすることが出来る。
【００３１】
一方、操作体８１をスプリング８０に抗して押動作させるに伴い、図１１に示すように、カム部材８５が操作体８１及び連結ロッド８２を介してケーシング５３内の下方に移動し、これにより、突起８３ａが係合しているカム面８５ｃの案内で、ロック体８３がスプリング８４のバネ力に抗して嵌合孔６６・６７から離脱する方向に移動するのであって、従って、かかる状態から取っ手部材５を収容部材６に対して自由に引き出したりあるいは格納したりすることが出来る。
【００３２】
以上の構成から成るゴルフクラブ１にあっては、取っ手部材５を使用しない時や、取っ手部材の握り部５２を手で持って、ゴルフバッグ１を持ち上げる時には、取っ手部材５を収容部材６内に格納して、ロック体８３を下方の嵌合孔６７に嵌合させ、続いて位置変更切換え機構７のスライド筒７１を上方にスライドさせると共にリンク部材７２を図８において反時計方向に揺動させることで、取っ手部材５の支持杆５１ａ・５１ｂをバッグ本体２の背面側部に沿う位置（図８において実線で示す位置）に揺動させるのであって、これにより、取っ手部材５及び収容筒部６１ａ・６１ｂが、バッグ本体２の背面側部に近接してバッグ本体２の背面側から大きく突出するようなことがないし、また握り部５２を手で持ってのゴルフバッグ１の持ち上げ作業が行い易くなる。
【００３３】
また以上のゴルフバッグ１を地面Ｅに自立させるに伴い、図５にも示すように、リブ３５と阻止部６の下面が地面に接地して、車輪４が地面Ｅから浮き上がるのであって、これに伴い、地面Ｅ上に自立させたバッグ１が前後に不用意に押されても、従来のように、バッグ１が不用意に動いたりあるいは不用意に転倒するような不具合がなく、バッグ１全体が安定的に自立するのである。
【００３４】
一方、ゴルフバッグ１を走行移動させる場合には、取っ手部材５を収容部材６から引き出して、ロック体８３を上方の嵌合孔６６に嵌合させ、続いて位置変更切換え機構７のスライド筒７１を下方にスライドさせると共にリンク部材７２を図８において時計方向に揺動させることで、取っ手部材５の支持杆５１ａ・５１ｂを、図１及び図７に示すように、その上端側に向かうに伴いバッグ本体２から離間する方向に傾斜する位置に揺動させるのであって、これにより、取っ手部材５の握り部５２がバッグ本体２の開口部位から大きく離間するので、握り部５２を手で持ってゴルフバッグ１を走行移動させる際、バッグ本体２内に収容したクラブ１０が取っ手部材５側にずれ動いても、クラブ１０のヘッド１１が握り部５２を持った手に当たるのを抑制することが出来るし、またヘッド１１が取っ手部材５に当接するのも抑制することが出来る。
【００３５】
また以上のごとく取っ手５の握り部５２を手で持って、バッグ１全体を車輪４が地面に接触する向きに傾斜させて行くと、図６に示すように、底板部３２がリブ３５及び阻止部６とともに地面Ｅから浮き上がって、ゴルフバッグ１が車輪４だけで支えられる形になり、かかる状態からゴルフバッグ１を車輪４を介して容易に走行移動させることが出来る。
【００３６】
しかも取っ手部材５の支持杆５１ａ・５１ｂが、その上端側に向かうに従ってバッグ本体２から離間する方向に傾斜しているので、取っ手５の握り部５２を手で持って、ゴルフバッグ１を傾斜させて走行移動させる際、バッグ本体２の傾斜角度が従来よりも小さくなり、そのため、手に加わるバッグ１の荷重がそれだけ少なくなって、楽にバッグ１の走行移動ガ行なえるのである。
【００３７】
以上の実施形態では、位置変更切換え機構７を一対のスライド筒７１とリンク部材７２とから構成して、スライド筒７１を各収容筒部６１ａ・６１ｂにスライド自由に挿通し、このスライド筒７１にリンク部材７２の長さ方向一端部を枢支すると共に、このリンク部材７２の長さ方向他端部を上部ブラケット６２に枢支して、スライド筒７１のスライドとリンク部材７２の揺動により、取っ手部材５の支持杆５１ａ・５１ｂが、その上端側に向かうに伴いバッグ本体２から離間する方向に傾斜する位置とバッグ本体２の背面側部に沿う位置との間で揺動するようにしたが、これに限定されるものではなく、例えば図１３及び図１４に示すように構成してもよい。
【００３８】
即ち図１３及び図１４に示す位置変更切換え機構７は、スライド筒７５と、長さ方向一端部をスライド筒７５に枢支した揺動アーム７６と、上部ブラケット６２から延びて揺動アーム７６遊端が係合可能な鋸歯状の複数の係合部７７を備えた係合体７８とを備え、揺動アーム７６とスライド筒７５との間に、揺動アーム７６を係合部７７と係合する方向（図１４において反時計方向）に揺動付勢させるためのスプリング７９介装して成るものである。
【００３９】
以上の位置変更切換え機構７は、揺動アーム７６の遊端を、複数の係合部７７中、上部ブラケット６２に最も近い係合部７７に係合させることで、取っ手部材５の支持杆５１ａ・５１ｂが、バッグ本体２の背面側部に沿う位置（図１４において実線で示す位置）にセットされるのである。
【００４０】
そして、かかる位置から取っ手部材５をバッグ本体２の背面側部から離間する方向に強制的に引くことで、揺動アーム７６がスプリング７９のバネ力に抗して揺動しながら順次係合する係合部７７が変更されるのであって、揺動アーム７６が係合する係合部７７の選択により、支持杆５１ａ・５１ｂのバッグ本体２に対する傾斜角度を任意調整することが出来る。
【００４１】
尚、図１４において２点鎖線で示すように上部ブラケット６２から最も遠い係合部７７に係合している揺動アーム７６を、図１４において実線で示すように上部ブラケット６２に最も近い係合部７７に係合させて、取っ手部材５の支持杆５１ａ・５１ｂをバッグ本体２の背面側部に沿わせる時には、スライド筒７５を収容筒部６１ａ・６１ｂに対して上方に移動させて、揺動アーム７６と係合部７７との係合を解除した上で、取っ手部材５を収容筒部６１ａ・６１ｂと共にバッグ本体２側に揺動させればよい。
【００４２】
また以上の実施形態では、収容筒部６１ａ・６１ｂの下端部を下部ブラケット６３に枢支して、この収容筒部６１ａ・６１ｂをバッグ本体２に対して揺動可能とすると共に、上部ブラケット６２と収容筒部６１ａ・６１ｂとの間に位置変更切換え機構７を介装し、この位置変更切換え機構７を介して、取っ手部材５の支持杆５１ａ・５１ｂを、その上端側に向かうに伴いバッグ本体２に対してバッグ本体２から離間する方向に傾斜する位置とバッグ本体２の背面側部に沿う位置とに位置変更可能としたが、図１５に示すごとく、支持杆５１ａ・５１ｂを位置変更可能とはせずに、収容筒部６１ａ・６１ｂに挿通支持される取っ手部材５の支持杆５１ａ・５１ｂがその上端側に向かうに従ってバッグ本体２から離間する方向に傾斜するように、収容筒部６１ａ・６１ｂを上下のブラケット６２０・６３０にそれぞれ固定してもよい。
【００４３】
【発明の効果】
以上のごとく請求項１に記載の発明によれば、バッグ本体の側部において上下方向に延びる支持杆とこの支持杆の上端部に設けられる握り部とを備える取っ手部材が、バッグ本体の側部に設けられているゴルフバッグにおいて、取っ手部材の支持杆を、その上端側に向かうに従ってバッグ本体に対してバッグ本体から離間する方向に傾斜させたことにより、取っ手部材の握り部がバッグ本体の開口部位より離間し、ゴルフバッグの走行移動に際してバッグ本体に収容したクラブが取っ手部材や取っ手部材の握り部を持つ手に不用意に当接するのを抑制することが出来る。
【００４４】
しかも取っ手部材の支持杆が、その上端側に向かうに従ってバッグ本体から離間する方向に傾斜しているので、取っ手の握り部を手で持って、ゴルフバッグを傾斜させて走行移動させる際、バッグ本体の傾斜角度が従来よりも小さくなり、そのため、手に加わるバッグの荷重がそれだけ少なくなって、バッグの走行移動が楽に行なえる。
【００４５】
請求項２に記載の発明によれば、バッグ本体の側部において上下方向に延びる支持杆とこの支持杆の上端部に設けられる握り部とを備える取っ手部材が、バッグ本体の側部に設けられているゴルフバッグにおいて、取っ手部材の支持杆を、その上端側に向かうに従ってバッグ本体から離間する方向に傾斜する位置とバッグ本体の側部に沿う位置とに位置変更可能としたことにより、ゴルフバッグの走行移動に際しては、バッグ本体に収容したクラブが取っ手部材や取っ手部材の握り部を持つ手に不用意に当接するのを抑制することが出来るし、取っ手の握り部を手で持って、ゴルフバッグを傾斜させて走行移動させる際、バッグ本体の傾斜角度が従来よりも小さくなり、そのため、手に加わるバッグの荷重がそれだけ少なくなって、バッグの走行移動が楽に行なえる。
【００４６】
しかもゴルフバッグの保管などに際しては、取っ手部材をバッグ本体の側部に沿わせることで、取っ手部材のバッグ本体の外方への張り出しを解消して、嵩低くすることも出来る。
【００４７】
また請求項３に記載の発明によれば、請求項１または２に記載のゴルフバッグにおいて、取っ手部材の支持杆が、バッグ本体の側部に取り付けられた収容部材に対してスライド自由に設けられ、支持杆が収容部材に対して退入した位置及び支持杆が収容部材に対して引き出された位置で支持杆をロック可能とするロック制御機構が設けられたことにより、請求項１または２に記載の発明の効果に加え、取っ手部材を収容部材に格納した位置と収容部材から引き出した位置で確実に保持することが出来、例えば取っ手部材を手でもってゴルフバッグを走行移動させる際に取っ手部材が不用意にスライドする虞がないし、また取っ手部材を収容部材に格納した状態にして、取っ手部材の握り部を手で持ってのゴルフバッグの持ち上げ作業も行い易くなる。
【図面の簡単な説明】
【図１】本発明にかかるゴルフバッグの一実施形態を示す側面図。
【図２】同、背面図。
【図３】同、要部を一部切り欠いて示す背面図。
【図４】同、取っ手部材を格納した状態の背面図。
【図５】同、要部の拡大側面図。
【図６】同、要部の拡大底面図。
【図７】取っ手部材の取り付け状態を示す説明図。
【図８】位置変更切換え機構の作動状態を示す説明図。
【図９】取っ手部材と収容部材の取り付け状態を示す一部省略側面図。
【図１０】取っ手部材の要部の拡大断面図。
【図１１】取っ手部材の要部の拡大断面図。
【図１２】取っ手部材の要部の拡大断面図。
【図１３】位置変更切換え機構の別の実施形態を示す説明図。
【図１４】図１２３に示す位置変更切換え機構の作動状態を示す説明図。
【図１５】取っ手部材の別の取り付け状態を示す説明図。
【符号の説明】
１　　　ゴルフバッグ
２　　　バッグ本体
４　　　車輪
５　　　取っ手部材
５１ａ・５１ｂ　支持杆
５２　　握り部
６　　　収容部材
６１ａ・６１ｂ　収容筒部
７　　　位置変更切換え機構
８　　　ロック制御機構
【図１】
2004081561.tif 000003
【図２】
2004081561.tif 000004
【図３】
2004081561.tif 000005
【図４】
2004081561.tif 000006
【図５】
2004081561.tif 000007
【図６】
2004081561.tif 000008
【図７】
2004081561.tif 000009
【図８】
2004081561.tif 000010
【図９】
2004081561.tif 000011
【図１０】
2004081561.tif 000012
【図１１】
2004081561.tif 000013
【図１２】
2004081561.tif 000014
【図１３】
2004081561.tif 000015
【図１４】
2004081561.tif 000016
【図１５】
2004081561.tif 000017